(57)【要約】      （修正有）【課題】録画番組を番組表形式で表示する場合に、より見易い番組一覧表をユーザに提供できる電子機器及び表示制御方法を提供する。【解決手段】実施形態の電子機器は、録画手段と、記憶制御手段と、作成手段とを具備する。録画手段は、異なる複数チャンネルで同時刻に放送された番組を並行して記憶媒体に録画する録画手段であって、第１のチャンネル数のチャンネルを録画する。記憶制御手段は、前記録画した番組の番組関連情報を前記記憶媒体に記憶させる。作成手段は、番組関連情報に基づいて前記第１のチャンネル数の第１の番組表と、第１のチャンネル数より多い第２のチャンネル数の第２の番組表を選択的に作成する作成手段であって、前記第１の番組表について、前記第２のチャンネル数の番組表より、各番組についての番組関連情報を示す番組欄の横幅が広くなるように番組表を作成する。【選択図】図４
2013115787.tif 000002
【特許請求の範囲】
【請求項１】
異なる複数チャンネルで同時刻に放送された番組を並行して記憶媒体に録画する録画手
段であって、第１のチャンネル数のチャンネルを録画する録画手段と、
前記録画した番組の番組関連情報を前記記憶媒体に記憶させる記憶制御手段と、
番組関連情報に基づいて前記第１のチャンネル数の第１の番組表と、第１のチャンネル
数より多い第２のチャンネル数の第２の番組表を選択的に作成する作成手段であって、前
記第１の番組表について、前記第２のチャンネル数の番組表より、各番組についての番組
関連情報を示す番組欄の横幅が広くなるように番組表を作成する作成手段と、
を具備する電子機器。
【請求項２】
前記作成手段は、前記並行して録画されたチャンネル数に基づいて、前記第１の番組表
を作成する請求項１記載の電子機器。
【請求項３】
前記作成手段は、第1のチャンネル数についての番組表である前記第１の番組表と、前
記第１のチャンネル数より少ない第３のチャンネル数についての番組表である第３の番組
表とを選択的に作成する請求項１記載の電子機器。
【請求項４】
前記第３の番組表の番組欄は、前記第１の番組表の番組欄より横幅が長い請求項３記載
の電子機器。
【請求項５】
前記第１の番組欄は、前記第２の番組欄より、縦幅が長い請求項１記載の電子機器。
【請求項６】
前記第１の番組表は並行して録画された番組であって、連続しない時刻の番組について
の番組関連情報を同時に表示する請求項１記載の電子機器。
【請求項７】
前記作成手段は、前記第１の番組表内の番組を選択するための選択手段を作成し、前記
選択手段で選択された番組についてのサムネイルを、各番組についての番組関連情報を示
す第１の番組欄と異なる領域に表示するように前記第１の番組表を作成する請求項１記載
の電子機器。
【請求項８】
前記作成手段が作成した前記第１の番組表を表示する表示手段を更に具備する請求項１
記載の電子機器。
【請求項９】
異なる複数チャンネルであって、複数である第１のチャンネル数の同時刻に放送された
番組を並行して記憶媒体に録画し、
前記録画した番組の番組関連情報を前記記憶媒体に記憶し、
番組関連情報に基づいて前記第１のチャンネル数の第１の番組表と、第１のチャンネル
数より多い第２のチャンネル数の第２の番組表を選択的に作成し、前記第１の番組表につ
いて、前記第２のチャンネル数の番組表より、各番組についての番組関連情報を示す番組
欄の横幅が広くなるように番組表を作成する番組表作成方法。
【発明の詳細な説明】
【技術分野】
【０００１】
本発明の実施の形態は、電子機器および番組表作成方法に関する。
【背景技術】
【０００２】
近年、記憶媒体の記憶容量が増加し、放送波を受信可能な電子機器等において録画可能
な番組数が増えている。これに伴い、複数のチャンネルを同時かつ連続的に録画する録画
方法が提案されている。
【０００３】
この録画方法で録画した番組（映像コンテンツ）をユーザが視聴しようとする場合、番
組選択の画面としてユーザに馴染みの有る番組表形式が利用されると一覧性がよく、ユー
ザの番組選択の利便性が向上する。これら理由により複数チャンネルを同時録画したよう
な場合には、番組表形式で録画した番組を表示する場合がある。
【先行技術文献】
【特許文献】
【０００４】
【特許文献１】特開２００５−２０３９５５号公報
【発明の概要】
【発明が解決しようとする課題】
【０００５】
本発明の課題は、録画番組を番組表形式で表示する場合に、より見易い番組一覧表をユ
ーザに提供できる電子機器及び番組表作成方法を提供することを課題とする。
【課題を解決するための手段】
【０００６】
実施形態の電子機器は、録画手段と、記憶制御手段と、作成手段とを具備する。録画手
段は、異なる複数チャンネルで同時刻に放送された番組を並行して記憶媒体に録画する録
画手段であって、第１のチャンネル数のチャンネルを録画する。記憶制御手段は、前記録
画した番組の番組関連情報を前記記憶媒体に記憶させる。作成手段は、番組関連情報に基
づいて前記第１のチャンネル数の第１の番組表と、第１のチャンネル数より多い第２のチ
ャンネル数の第２の番組表を選択的に作成する作成手段であって、前記第１の番組表につ
いて、前記第２のチャンネル数の番組表より、各番組についての番組関連情報を示す番組
欄の横幅が広くなるように番組表を作成する。
【図面の簡単な説明】
【０００７】
【図１】実施形態におけるＤＴＶの内部構造の一例を示すブロック図。
【図２】実施形態における制御部の内部構成の一例を示すブロック図
【図３】実施形態における過去番組表の表示の一例を示す概念図。
【図４】実施形態における表示可能最大チャンネル数未満のチャンネル数についての過去番組表の表示の一例を示す概念図。
【図５】実施形態における表示時間帯の長い過去番組表の表示の一例を示す概念図。
【図６】実施形態における異なる日に同時録画した番組を表示する過去番組表の表示の一例を示す概念図。
【図７】実施形態における選択箇所表示欄を大きく表示した場合の過去番組表の表示の一例を示す概念図。
【図８】実施形態における番組表表示方法の一例を示すフロー図。
【発明を実施するための形態】
【０００８】
以下にて、実施形態を図面を参照して説明する。
【０００９】
図１は、本実施形態におけるＤＴＶ１の内部構造の一例を示すブロック図である。なお
、本実施の形態では、電子機器をＤＴＶに搭載した場合について説明するが、これに限定
されず、放送受信装置、放送受信機能付き携帯電話、及び放送受信装置が搭載された映像
記録再生装置等としても実施することが可能であり、また、ネットワークを通じて放送局
から配信される番組を受信することができる放送受信装置、及びＰＣ（Personal Compute
r）等としても実施することが可能であり、これらに限定されない。
【００１０】
ＤＴＶ１は、例えばチューナ、オーディオアンプ、及び信号処理部等の電子装置を格納
する本体と、ＬＣＤ（Liquid Crystal Display）からなる表示部１２０と、音声を出力す
るスピーカ１１０とを有するデジタルテレビジョン（ＤＴＶ：Digital Television）であ
る。
【００１１】
ＤＴＶ１は、プラグを介して外部から電力を取得し、アンテナを介して地上波デジタル
放送波衛星デジタル放送波放送及びを受信して、受信した放送波の信号を信号処理部でデ
コードすることにより映像信号、及び音声信号を出力する。表示部１２０は、デコードさ
れた映像信号を処理して映像を表示する。スピーカ１１０は、デコードされた音声信号を
入力することで音声として出力する。
【００１２】
以下にて、ＤＴＶ１の内部構造に関して詳細に説明を行う。
【００１３】
ＤＴＶ１は、装置各部の動作を制御する制御部１５６を備えている。制御部１５６は、
ＤＴＶ１の多くの機能を実行する電子部品が搭載されたメインボードに搭載されたマイコ
ン（Micro Computer）であり、ＣＰＵ（Central Processing Unit）等を有している。制
御部１５６は、操作部１１６から入力される操作信号や、リモートコントローラ１１７か
ら送信され受光部１１８を介して受信される操作信号に応じて、ＲＯＭ（Read Only Memo
ry）１５７に予め記憶されたシステム制御プログラム及び各種処理プログラムを起動させ
る。制御部１５６は、起動したプログラムに従って、ＲＡＭ（Random Access Memory）１
５８をワークメモリとして装置各部の動作を制御する。また、制御部１５６は各種機能を
実行するための処理部を有している。この制御部１５６の内部構成について図２でさらに
詳細に説明を行う。
【００１４】
入力端子１４４は、ＢＳ／ＣＳデジタル放送受信用のアンテナ１４３が受信した衛星デ
ジタルテレビジョン放送信号を衛星デジタル放送用のチューナモジュール１４５に供給す
る。チューナモジュール１４５は２つのチューナから構成されており、それぞれがチュー
ナとしてチューニング機能を実行することが可能である。チューナモジュール１４５は、
受信したデジタル放送信号のチューニングを行い、チューニングしたデジタル放送信号を
ＰＳＫ（Phase Shift Keying）復調器１４６に送信する。ＰＳＫ復調器１４６は、ＴＳ（
Transport Stream）の復調を行い、復調したＴＳをＴＳ復号器１４７ａに供給し、ＴＳ復
号器１４７ａは、ＴＳをデジタル映像信信号、デジタル音声信号、およびデータ信号を含
むデジタル信号に復号した後、信号処理部１００にこれを出力する。ここでのデジタル映
像信号とはＤＴＶ１が出力可能な映像に関するデジタル信号であり、音声信号はＤＴＶ１
が出力可能な音声に関するデジタル信号である。またデータ信号とは、例えばＤＴＶ１が
電子番組表：ＥＰＧ（Electronic Program Guide）を生成するときに使用する情報である
番組関連情報等を含む、放送波の放送番組に関する情報に関するデジタル信号である。チ
ューナモジュール１４５にはチューナが複数存在するため、異なる放送局の放送を同時に
チューニングすることが可能であり、ＤＴＶ１は同時に受信した放送波について同時に又
は選択的に番組を表示／録画することが可能である。
【００１５】
入力端子１４９は、地上波デジタル放送受信用のアンテナ１４８が受信した地上波デジ
タルテレビジョン放送信号を地上波デジタル放送用のチューナモジュール１５０に供給す
る。チューナモジュール１５０は７つのチューナから構成されており、それぞれがチュー
ナとしてチューニング機能を実行することが可能である。チューナモジュール１５０は、
受信したデジタル放送信号のチューニングを行い、チューニングしたデジタル放送信号を
それぞれのＯＦＤＭ（Orthogonal Frequency Division Multiplexing）復調器１５１に送
信する。ＯＦＤＭ復調器１５１は、ＴＳの復調を行い、復調したＴＳをそれぞれのＴＳ復
号器１４７ｂに供給し、ＴＳ復号器１４７ｂは、ＴＳをデジタル映像信号及び音声信号等
に復号した後、信号処理部１００にこれを出力する。チューナモジュール１５０にはチュ
ーナが複数存在するため、異なる放送局の放送を同時にチューニングすることが可能であ
り、ＤＴＶ１は同時に受信した放送波について同時に又は選択的に番組を表示／録画する
ことが可能である。また、ＤＴＶ１は、一例として、アンテナ１４８が接続される入力端
子１４９にＣＡＴＶ（Common Antenna Television）用のチューナを接続することによっ
てＣＡＴＶも視聴することができる。
【００１６】
信号処理部１００は、ＴＳ復号器１４７ａ、１４７ｂ、または制御部１５６から出力さ
れたデジタル信号に、適切な信号処理を施す。より具体的には、信号処理部１００はデジ
タル信号を映像信号、デジタル音声信号、およびデータ信号に分離する。分離された映像
信号はグラフィック処理部１５２に、音声信号は音声処理部１５３に出力される。データ
信号は、制御部１５６に出力され各種処理に利用される。また、信号処理部１００は、ラ
イン入力端子１３７からの入力信号にも所定のデジタル信号処理を施す。
【００１７】
ＯＳＤ（On Screen Display）信号生成部１５４は、制御部１５６の制御に従って、Ｕ
Ｉ（ユーザ・インタフェース）画面などを表示するためのＯＳＤ信号を生成する。また信
号処理部１００においてデジタル放送信号から分離されたデータ信号は、ＯＳＤ信号生成
部１５４により適切なフォーマットのＯＳＤ信号に変換され、グラフィック処理部１５２
に出力される。
【００１８】
グラフィック処理部１５２は、信号処理部１００から出力されるデジタルの映像信号の
デコード処理を行う。デコードされた映像信号は、ＯＳＤ信号生成部１５４から出力され
たＯＳＤ信号と重ね合わせて合成され、映像処理部１５５に出力される。グラフィック処
理部１５２は、デコードされた映像信号またはＯＳＤ信号を、映像処理部１５５に選択的
に出力することもできる。
【００１９】
映像処理部１５５は、グラフィック処理部１５２から出力された信号に対して画質の補
正を行った上で、表示処理部１５５で表示可能なフォーマットの映像信号に変換する。映
像処理部１５５で変換された映像信号は、表示部１２０に表示される。
【００２０】
表示部１２０はＬＣＤによって構成されており、液晶パネル及びバックライトによって
ユーザに映像を提供する。
【００２１】
音声処理部１５３は、入力された音声信号を、スピーカ１１０で再生可能なフォーマッ
トの音声信号に変換する。変換された音声信号は、スピーカ１１０に出力されて再生され
る。
【００２２】
ＬＡＮ端子１３１は、ＬＡＮＩ／Ｆ１６４を介して制御部１５６に接続されている。Ｌ
ＡＮ端子１３１は、イーサネット（登録商標）を用いた一般的なＬＡＮ対応ポートとして
使用される。本実施形態においてＬＡＮ端子１３１にはＬＡＮケーブルが接続されており
、インターネット４と通信可能となっている。
【００２３】
ＵＳＢ（Universal Serial Bus）端子１３３は、ＵＳＢ Ｉ／Ｆ１６６を介して制御部
１５６に接続されている。ＵＳＢ端子１３３は、一般的なＵＳＢ対応ポートとして使用さ
れる。ＵＳＢ端子１３３には、例えばハブを介して、携帯電話、デジタルカメラ、各種メ
モリカードに対するカードリーダ／ライタ、ＨＤＤ、キーボード等が接続される。制御部
１５６は、ＵＳＢ端子１３３を介して接続される機器との間で、情報の通信（送受信）を
行うことができる。
【００２４】
ＨＤＤ１７０はＤＴＶ１に内蔵される磁気記憶媒体であってＤＴＶ１が有する各種情報
を記憶する機能を有している。また、ＨＤＤ１７０は録画された放送された番組を映像コ
ンテンツとして記憶することも可能である。ＤＴＶ１はＨＤＤ１７０に記憶（録画）され
た映像コンテンツを再生し、表示部１２０に表示することができる。
【００２５】
本実施形態におけるＤＴＶ１は、複数のチャンネルについて同時に録画処理を実行する
ことができる。また、同時録画を所定期間実行することができ、同一チャンネルについて
連続的に複数の番組を録画することができる。
【００２６】
次に、この録画処理及び録画した番組の選択画面の表示処理について説明を行う。
【００２７】
図２は、本実施形態における制御部１５６の内部構成の一例を示すブロック図である。
【００２８】
録画制御部２１は、録画機能を制御する機能を有している。上述のようにチューナモジ
ュール１４５、チューナモジュール１５０にはそれぞれ複数のチューナを有している。こ
のため、ＤＴＶ１は異なる複数の放送局が同時放送した番組を、同時にチューニングする
ことが可能であり、録画制御部２１は同時にチューニングした複数番組を並行して同時に
録画することが可能である。本実施形態では録画制御部２１は録画する番組をＨＤＤ１７
０に記録する。しかし、これに限定されず、例えばＵＳＢ Ｉ／Ｆ１６６を介して外部の
記憶装置に記録するとしても良い。録画制御部２１の録画処理とは、信号処理部１００が
出力するデータ信号、映像信号及び音声信号をＨＤＤ１７０に記録させる処理を指す。複
数番組の同時録画の場合には、信号処理部１００が出力する複数の番組にかかるデータ信
号、映像信号及び音声信号をそれぞれＨＤＤ１７０に記録させる。また、録画制御部２１
はユーザからの録画予約に基づいて所定の録画処理を実行することができる。例えば、ユ
ーザが３つの所定チャンネルについて、毎日午後３時から８時までの番組を録画するとい
う録画予約を行うと、これに基づいて録画制御部２１は毎日３時から８時まで選択された
複数のチャンネルについて録画処理を実行する。この録画予約の設定は毎日に限定されず
、例えば所定の曜日の３時から８時まで等のような他の指標に基づいた録画の予約も可能
である。尚、本実施形態では録画された映像コンテンツは番組単位で管理される。
【００２９】
再生制御部２２は、録画された番組を再生する機能を有している。再生制御部２２は、
ユーザの録画番組の選択に基づいて、ＨＤＤ１７０に格納された録画番組を再生すること
ができる。
【００３０】
番組関連情報取得部２３は、信号処理部１００またはＨＤＤ１７０より、所望の番組に
関する番組関連情報を取得することが可能である。
【００３１】
番組表作成部２４は、番組関連情報取得部２３が取得した番組関連情報に基づいて番組
表を作成する機能を有している。番組表示作成部２４は番組表の画像を作成すると、これ
をＯＳＤ信号生成部１５４に送信し、これに基づいて番組表が表示部１２０に表示される
。
【００３２】
ＤＴＶ１は、ＨＤＤ１７０に同時録画した番組について、再生する番組を選択するため
の選択画面を番組表形式（過去番組表）としてユーザに提供することができる。次に、こ
の番組表について説明を行う。
【００３３】
図３は本実施形態における過去番組表の表示の一例を示す概念図である。図３には表示
画面１２０、過去番組表４０１、現在時刻４０２、放送時刻表示欄４０３、局情報表示欄
４０４、番組欄４０５、放送局名４０６、割当チャンネル４０７、局ロゴ４０８、３桁チ
ャンネル４０９、選択カーソル４１１、録画日４１２、および選択箇所表示欄４１３が示
されている。
【００３４】
過去番組表４０１は、過去に同時録画された番組について一覧表形式で表示している番
組表であり、表示画面１２０の横方向に放送局の各局が並べられて表示されており、縦軸
には上から下へと時間経過に沿った、それぞれの時間帯に放送されている番組が並んで表
示されている。
【００３５】
現在時刻４０２は現在の時刻を示す表示であり、番組表の欄表示の右上に表示されてい
る。
【００３６】
放送時刻表示欄４０３は録画番組の放送された（録画された）時刻を示しており、時刻
の流れに従い上から下へと１時間毎に区切って表示されている。この放送時刻表示欄４０
３は本実施形態における例示であり区切り時間や時間経過を示す方向などは自由に選択し
てもよい。
【００３７】
局情報表示欄４０４は各放送局及びＤＴＶ１でのチャンネルの情報を表示する表示欄で
ある。この局情報表示欄４０４には放送局名４０６、割当チャンネル４０７、局ロゴ４０
８、及び３桁チャンネル４０９が示されている。
【００３８】
番組欄４０５は、真上の番組情報表示欄４０４に示されている放送局が、真横の放送時
刻表示欄４０３に示されている時刻に放送していた番組の情報が記述されている欄である
。ここには、ＨＤＤ１７０より取得した、該当する番組の番組関連情報の一部が示されて
いる。ここで、表示される情報としては、番組タイトル、番組の内容や出演者等の情報で
ある番組詳細情報、番組の開始分を示す番組開始分、当該番組の字幕に関する情報である
字幕情報等が例として挙げられる。
【００３９】
放送局名４０６は局情報表示欄４０４の下に表示されている番組を放送する放送局の名
前である。割当チャンネル４０７はＤＴＶジョン１において、放送局名４０６に示される
放送局に割り当てられる、ユーザが簡易に操作を行うために用いられるチャンネル番号で
ある。局ロゴ４０８は放送局名４０６で示される放送局のロゴマークである。３桁チャン
ネル４０９は各放送局に割り当てられたチャンネル番号である。
【００４０】
選択カーソル４１１は番組または放送局等の選択を行うためのカーソルであり、リモー
トコントローラ１１７からのユーザ指示に基づいて、番組欄４０５上を番組単位で移動す
る。ユーザはこの選択カーソル４１１を操作することにより、過去番組表４０１に表示さ
れる番組を選択でき、選択番組等の再生をＤＴＶ１に指示することができる。
【００４１】
録画日４１２は番組表として表示されている番組の録画日を示す表示である。
【００４２】
選択箇所表示欄４１３は、選択カーソル４１１に選択されている番組の番組関連情報を
番組欄４０５とは別途表示する欄である。
【００４３】
図３では、７つのチャンネルで放送された６時間分の録画番組を表示している。これは
同時録画として７チャンネルを同時に６時間以上録画した場合の番組表であるが、同時録
画はユーザの選択によって７チャンネル以下のチャンネル数についても適宜設定可能であ
るため、例えば４チャンネルのみ同時録画を行う場合も存在する。この場合には４チャン
ネルについてのみ録画が実行されるため、過去番組表として７チャンネルについての表示
を行う必要はない。また、４チャンネルしか録画をしていない場合には、録画されていな
いチャンネルについての番組欄を空白で表示することになる場合があり、この場合には番
組欄４０５が７チャンネル用のサイズとなっているため、ユーザにとってかえって見づら
くなってしまう。
【００４４】
さらに、７チャンネルについて同時録画を行っていたとしても、ユーザが７チャンネル
の全ての番組を見る必要がなく、所定の４チャンネルのみが番組表として表示されればよ
いと考える場合が想定される。
【００４５】
上述のような場合が考えられるため、ＤＴＶ１は表示可能な最大のチャンネル数より少
ない所定のチャンネル数について、過去番組表を作成して表示することができる。
【００４６】
図４は、本実施形態における表示可能最大チャンネル数未満のチャンネル数についての
過去番組表の表示の一例を示す概念図である。なお、図４乃至図８において、図３と同様
の名称が附されているものは、図３における同名称のものとほぼ同様の機能を有しており
、これらの詳細な説明については以下では割愛する。
【００４７】
図４の過去番組表５０１では、ＤＴＶ１の表示可能な最大チャンネル数である７チャン
ネルより少ない４チャンネルについての表示が行われている。
【００４８】
表示するチャンネル数が過去番組表４０１よりも少ないため、過去番組表５０１ではそ
れぞれの番組欄５０５の表示面積が過去番組表４０１の番組欄４０５と比較して画面横方
向に広くなっている。これによって、番組欄５０５内に表示する情報の文字の大きさ（文
字サイズ、テキストサイズ）を、過去番組表４０１の番組欄４０５と同様の文字の大きさ
とすると、番組欄４０５と比較して番組欄５０５内に表示可能な文字数が増加する。また
、過去番組表４０１の番組欄４０５と同じ文字数を表示させるとすると、文字サイズを大
きくさせることが可能である。このように、番組欄５０５は表示面積が広いため、番組欄
４０４と比較して可視性が向上する。
【００４９】
最大チャンネル数より少ないチャンネル数の番組表の表示は、本実施形態において少な
くとも２つの場合で行われる。
【００５０】
まず１つは、ユーザが表示チャンネル数を同時録画したチャンネル数より少なく設定し
た場合である。この場合、ユーザはメニュー等の設定画面によって過去番組表で表示した
いチャンネルを選択する。ユーザがこの選択を行うとこの選択（設定）は記録され、番組
表作成部２４は過去番組表を作成するときにこの選択の情報を読み込むことで、ユーザ所
望のチャンネルのみについて過去番組表を作成する。
【００５１】
もう１つの場合は、同時録画したチャンネル数が最大チャンネル数より少なかった場合
である。この場合、同時録画していないチャンネルについては録画制御部２１が番組関連
情報を取得せず、過去番組表を作成する場合にもＨＤＤ１７０にこのチャンネルの番組に
ついての番組関連情報が記録されていない。そのため、このチャンネルについての番組欄
を作成したとしても、表示する情報がないためこの番組欄は空欄となってしまう。これを
回避するため、番組表作成部２４は同時録画が行われた（番組関連情報を取得可能な）チ
ャンネルのみが表示される過去番組表を作成し、表示する。
【００５２】
以上のように、ユーザによって過去番組表の表示チャネルが選択（設定）された場合と
、最大チャンネル数より同時録画されたチャンネル数が少なかった場合には、過去番組表
５０１のように最大チャンネル数より少ない数のチャンネル数についての過去番組表が作
成される。また、これらが同時になされていてもよい。つまり、同時録画のチャンネル数
が少なく、このチャンネルの中からユーザが表示したいチャンネルを選択された場合であ
ってもチャンネル数の少ない過去番組表を作成するとしてもよい。
【００５３】
次に、番組欄の横幅が長くなったことを利用して、過去番組表４０１より表示している
時間帯が長い過去番組表６０１について説明する。
【００５４】
図５は、本実施形態における表示時間帯の長い過去番組表の表示の一例を示す概念図で
ある。
【００５５】
図５における過去番組表６０１は、表示されているチャンネル数が最大チャンネル数よ
り少なく、表示されている時間帯が長い過去番組表である。
【００５６】
本実施形態において、過去番組表６０１の番組欄６０５は図４の番組欄４０５以上の表
示面積、又は同じ文字サイズで表示可能な最大文字数が、番組欄４０５より大きくとなっ
ている。つまり、番組欄６０５は番組欄４０５より多くの情報を表示することができる。
【００５７】
番組欄６０５は、番組欄４０５より横幅が長くなっているため、例えば番組欄４０５と
同じ文字サイズで、同じ情報量の文字を表示しようとした場合には文字の行数が減り、縦
幅を短く（小さく）することができる。番組欄６０５の縦幅を減らすと、過去番組表６０
１は、全体として表示可能な時間量を増やすことができる。図４または図５では、番組表
を表示可能な時間が６時間であったのに対し、図６の過去番組表６０１では８時間分の録
画番組を同時に表示することが可能となっている。この過去番組表６０１で表示する時間
の量は、例えばユーザが設定しても良いし、番組表作成部２４が自動的に決定するとして
も良い。
【００５８】
ここで、番組表作成部２４が自動的に過去番組表６０１で表示する時間の量を設定する
場合の処理について一例を示す。例えば、規格又は設計仕様等によって番組欄６０５に表
示する文字数（又は送られてくる番組関連情報の文字数）が所定数（ここでは例えば２０
文字とする）に決まっている場合には、番組欄６０５は基本的にこの所定の文字数の文字
を表示する面積より大きい表示面積は不要となる。そこで、番組表作成部２４は過去番組
表６０１の表示するチャンネル数と、この表示する所定の文字数に基づいて番組欄６０５
の縦幅を決定する。つまり、表示するチャンネル数において、何行あれば所定の文字数（
２０文字）を表示可能であるかを算出し、この行数が表示できるように番組欄６０５の縦
幅（大きさ）を決定する。番組表作成部２４はこれで決定された番組欄６０５の大きさに
基づいて、過去番組表６０１を構成して表示する。このように、番組表作成部２４はチャ
ンネル数に基づいて番組欄６０５の縦幅（過去番組表６０１が全体として表示する時間の
量）を決定し、これに基づいた番組表を作成することができる。尚、上述では番組表作成
部２４が、チャンネル数を文字数に基づいて番組欄６０５の大きさを算出する場合を例に
説明したが、これに限定されない。例えば、番組表作成部２４はチャンネル数と、このチ
ャンネル数で所定文字数を表示可能な番組表の縦幅（表示する時間数）とを対応付けたテ
ーブルを予め有しており、このテーブルに基づいて番組表の縦幅を決定するとしてもよい
。また、番組表作成部２４はチャンネル数に応じた表示形式のフォーマットを予め有して
おり、これを選択するとしてもよい。
【００５９】
ＤＴＶ１は様々な方法で同時録画を実行することができる。例えば、毎週同じ時刻の番
組を毎週録画することも可能である。つまり、ユーザが月曜日の午後３時から午後６時台
までの時間について、放送局Ａ、放送局Ｃ、放送局Ｄ、放送局Ｇを毎週同時録画すると設
定していた場合には、毎週、選択された時間帯に選択された放送局の同時録画を実行する
。また、更に毎日同じ時刻の番組を録画することも可能である。つまり、ユーザが毎日午
後３時から午後６台時までの時間について、放送局Ａ、放送局Ｃ、放送局Ｄ、放送局Ｇを
同時録画すると設定していた場合には、毎日、選択された時間帯に選択された放送局の同
時録画を実行する。これらのような、録画を実行した場合の番組表の表示方法について、
次に説明する。
【００６０】
図６は、本実施形態における異なる日に同時録画した番組を表示する過去番組表の表示
の一例を示す概念図である。
【００６１】
図６の過去番組表７０１では、２０１１年９月２６日（月）と２０１１年９月２７日（
火）のそれぞれの午後３時から午後６時台までに同時録画された、放送局Ａ、放送局Ｃ、
放送局Ｄ、放送局Ｇの番組が表示されている。つまり、連続しない時間帯が同一の過去番
組表に表示されている。同時録画する／番組表として表示するチャンネル数を減らすと、
上述のように番組欄の横幅が増えて、表示できる時間帯の量を増加させることができる。
そこで過去番組表７０１では、表示可能な時間帯として増やすことのできる欄を利用して
、連続しない時間の番組を同一の過去番組表７０１内で表示している。ここで表示する過
去番組表の時間帯としては、同時録画の方法（毎日／毎週決まった時刻に同時録画等）に
依存して、番組表作成部２４が自動的に決定するとしてもよい。また、例えば連続して長
時間同時録画を行っている場合に、番組表を表示する際の表示する時間帯をユーザが設定
するとしても良い。
【００６２】
次に、選択箇所表示欄を大きく表示する場合の番組表について説明する。
【００６３】
図７は、本実施形態における選択箇所表示欄を大きく表示した場合の過去番組表の表示
の一例を示す概念図である。
【００６４】
図７では表示されるチャンネル数に基づいて、所定の文字数が表示できるように番組欄
８０５の大きさが決定された場合の過去番組表８０１の一例である。過去番組表８０１で
は、選択箇所表示欄８１３が、図３乃至図６における番組表よりも大きく表示されている
。過去番組表８０１の番組欄８０５は、チャンネル数が減り、横幅が長く縦幅が短く表示
されている。これによって、番組欄８０５の下のスペースができるので、これを利用して
選択箇所表示欄８１３を大きくしている。また、選択箇所表示欄８１３には選択されてい
る番組のサムネイル８１４が表示されている。サムネイル８１４は、当該番組の代表的な
静止画であってもよいし、動画であってもよい。つまりサムネイル８１４は表示するチャ
ンネル数が少なくなることによってできるスペースを利用して表示されている。選択箇所
表示欄８１３では、このサムネイル８１４の横に大きいフォントで番組関連情報が表示さ
れる。これによりユーザは選択している番組の情報がより見易くなる。さらにユーザはこ
の番組についてのサムネイルを見ることができるので、どのような番組であるかをイメー
ジし易い。
【００６５】
図８は、本実施形態における番組表表示方法の一例を示すフロー図である。
【００６６】
まず、制御部１５６はリモートコントローラ１１７又は操作部１１６より、番組表表示
指示を受信したか否かを判別する（ステップＳ９１）。受信しない間（ステップＳ９１：
Ｎｏ）処理フローはステップＳ９１に戻る。
【００６７】
番組表表示指示を受信した場合（ステップＳ９１：Ｙｅｓ）、番組関連情報取得部２３
が、ユーザから指定された時刻（時間帯）の番組についての番組関連情報をＨＤＤ１７０
から取得（受信）する（ステップＳ９２）。
【００６８】
次に、番組表作成部２４が番組表の表示設定情報を確認（取得）する（ステップＳ９３
）。この番組表の表示設定とは番組表の表示形式に関する各種情報であり、これには番組
表として表示するチャンネル数や時間帯の情報が含まれる。
【００６９】
番組表作成部２４は、取得した表示設定情報及び同時録画されているチャンネル数に基
づいて番組表の横枠数（番組欄の横幅）を決定する（ステップＳ９４）。この場合、同時
録画されているチャンネル数（チャンネル）と表示設定の情報に基づいて表示するチャン
ネルを決定し、これに基づいて、このチャンネルが番組表の横幅いっぱいに収まるように
（空欄ができないように）番組欄の横幅を決定する。
【００７０】
次に、番組表作成部２４は番組表の縦枠数（番組欄の縦幅）を決定する。ここでは、番
組表作成部２４は、ステップＳ９３で得られた設定情報やステップＳ９４で決定された番
組表の横枠数（番組欄の横幅）に基づいて番組表の縦枠数（番組欄の縦幅）を決定する。
例えば、設定情報に基づいてそのまま番組表の縦枠数（番組欄の縦幅）を決定するとして
も良い。また、ステップＳ９４で決定された番組表の横枠数（番組欄の横幅）で、所定の
文字数（２０文字）が所定の文字サイズで全て表示可能な行数を表示できるように縦枠数
（番組欄の縦幅）を決定するとしても良い。さらに、このとき番組表作成部２４は選択箇
所表示欄４１３の大きさ（縦幅）も同様に決定する。
【００７１】
上述では番組欄の縦幅／横幅で説明しているが、放送時刻表示欄４０３、局情報表示欄
４０４も当然この縦幅／横幅に対応することとなる。
【００７２】
次に、番組表作成部２４はステップＳ９２で得られた番組関連情報を番組欄に入力（記
述）する（ステップＳ９６）。
【００７３】
最後に、番組表作成部２４は番組表全体の映像を作成し、ＯＳＤ信号生成部１５４に出
力することで、表示部１２０に番組表を表示する（ステップＳ９７）
以上で本実施形態における番組表の表示処理に関する一連の処理フローは終了となる。
【００７４】
上記においては、過去番組表を用いて説明を行ったが、これに限定されず、現在／未来
の番組表において上記と同様の表示形態の制御を行うとしても良い。この場合には、ＤＴ
Ｖ１は番組関連情報を放送波のデータ信号より取得して、番組表を作成する。また、番組
表で表示するチャンネルするは、ＤＴＶ１が受信可能な放送局数によって決定されるとし
ても良い。
【００７５】
さらに、現在／未来の番組表と過去番組表が一画面に連続して表示されるような番組表
において上記のような表示形態の制御を行うとしても良い。この場合、現在／未来番組表
における表示チャンネルと、同時録画を行うチャンネルが同一であり、表示可能な最大チ
ャンネル数より少なく設定されている場合には、番組欄の横幅を広げるとしてもよい。ま
た、現在／未来番組表における表示チャンネル数より同時録画を行うチャンネル数が少な
いような場合には、現在／未来番組表には表示すべきチャンネルであって、同時録画され
ていないチャンネルの番組欄を空欄／色違い等のように現在／未来番組表におけるそのチ
ャンネルの表示とは異なる表示形態としておき、現在／未来番組表と過去番組表が混在し
ている表示からカーソル移動等によって過去番組表のみの表示となったような場合には、
同時録画されていないチャンネルを非表示として番組欄の横幅を広げるとしても良い。
【００７６】
本実施形態における電子機器は、録画番組を番組表形式で表示する場合に、より見易い
番組一覧表をユーザに提供することができる。
【００７７】
なお、本発明は上記実施形態そのままに限定されるものではなく、実施段階ではその要
旨を逸脱しない範囲で構成要素を変形して具現化できる。また、上記実施形態に開示され
ている複数の構成要素の適宜な組み合わせにより、種々の発明を形成できる。例えば、実
施形態に示される全構成要素から幾つかの構成要素を削除してもよい。さらに異なる実施
形態にわたる構成要素を適宜組み合わせてもよい。
【符号の説明】
【００７８】
１…ＤＴＶ、４…インターネット、１００…信号処理部、１１０…スピーカ、１１６…操
作部、１１７…リモートコントローラ、１１８…受光部、１２０…表示部、１３１…ＬＡ
Ｎ端子、１３３…ＵＳＢ端子、１３７…ライン入力端子、１４３…アンテナ、１４４…入
力端子、１４５…チューナ、１４６…ＰＳＫ復調器、１４７…ＴＳ復号器、１４８…アン
テナ、１４９…入力端子、１５０…チューナ、１５１…ＯＦＤＭ復調器、１５２…グラフ
ィック処理部、１５３…音声処理部、１５４…信号生成部、１５５…映像処理部、１５６
…制御部、１５７…ＲＯＭ、１５８…ＲＡＭ、１６４…ＬＡＮＩ／Ｆ、１６６…ＵＳＢＩ
／Ｆ、１７０…ＨＤＤ、２１…録画制御部、２２…再生制御部、２３…番組関連情報取得
部、２４…番組表作成部、４０１…過去番組表、４０２…現在時刻、４０３…放送時刻表
示欄、４０４…局情報表示欄、４０５…番組欄、４０６…放送局名、４０７…割当チャン
ネル、４０８…局ロゴ、４０９…３桁チャンネル、４１１…選択カーソル、４１２…録画
日、４１３…選択箇所表示欄、５０１…過去番組表、５０２…現在時刻、５０３…放送時
刻表示欄、５０４…局情報表示欄、５０５…番組欄、５０６…放送局名、５０７…割当チ
ャンネル、５０８…局ロゴ、５０９…３桁チャンネル、５１１…選択カーソル、５１２…
録画日、５１３…選択箇所表示欄、６０１…過去番組表、６０２…現在時刻、６０３…放
送時刻表示欄、６０４…局情報表示欄、６０５…番組欄、６０６…放送局名、６０７…割
当チャンネル、６０８…局ロゴ、６０９…３桁チャンネル、６１１…選択カーソル、６１
２…録画日、６１３…選択箇所表示欄、７０１…過去番組表、７０２…現在時刻、７０３
…放送時刻表示欄、７０４…局情報表示欄、７０５…番組欄、７０６…放送局名、７０７
…割当チャンネル、７０８…局ロゴ、７０９…３桁チャンネル、７１１…選択カーソル、
７１２…録画日、７１３…選択箇所表示欄、８０１…過去番組表、８０２…現在時刻、８
０３…放送時刻表示欄、８０４…局情報表示欄、８０５…番組欄、８０６…放送局名、８
０７…割当チャンネル、８０８…局ロゴ、８０９…３桁チャンネル、８１１…選択カーソ
ル、８１２…録画日、８１３…選択箇所表示欄、８１４…サムネイル。
【図１】
2013115787.tif 000003
【図２】
2013115787.tif 000004
【図３】
2013115787.tif 000005
【図４】
2013115787.tif 000006
【図５】
2013115787.tif 000007
【図６】
2013115787.tif 000008
【図７】
2013115787.tif 000009
【図８】
2013115787.tif 000010